(57)【要約】      （修正有）【課題】多数積み重ねられた積み重ねシートを、その積み重ね状態における上面をそのままの状態で送り出し、あるいは、上下を逆にして送り出すことができるようにした簡単な構成の給紙装置を提供することである。【解決手段】積み重ねシートＳの先頭から数枚のシートｓを上方に持ち上げてブロック分けするセパレータ装置３０と、ブロック分けされたシートブロックＢの背面上部を下流側に押して伏倒させるシートブロック反転装置４０と、上方への揺動時にブロック分けされたシートブロックＢを掬い上げて下流側に搬送するシートブロック送り出し装置６０を設ける。シートブロック反転装置４０とシートブロック送り出し装置６０の作動により、ブロック分けされたシートブロックＢを積み重ね状態での上面を下向きにして送り出し、シートブロック送り出し装置６０のみの作動で積み重ね状態でのシートブロックＢを上面をそのままの状態で送り出すようにする。【選択図】図１
2008150142.tif 000002
【特許請求の範囲】
【請求項１】
シートを受け入れる状態の略垂直の位置と上端が下流側に倒れてシートを繰り出す状態の傾斜状の位置との間で揺動される傾動台と、
その傾動台がシートを受け入れる状態でシートの搬送面が略垂直の状態となるよう傾動台に支持されたシート繰り出し装置と、
前記傾動台が略垂直とされて送り込まれてくる積み重ねシートを受け取り、傾動台のシート繰り出し位置でその積み重ねシートをシート繰り出し装置とで支持して、そのシート繰り出し装置とで積み重ねシートを搬出端に向けて移動させる支持部材と、
前記傾動台のシート繰り出し位置で、積み重ねシートを先頭のシートから数枚のシートをシート搬送面上に持ち上げてブロック分けするセパレータ装置と、
ブロック分けされたシートブロックの背面上部をシート繰り出し装置の搬出端側に向けて押圧して、積み重ね状態での上面が下向きとなるようシートブロックを伏倒させるシートブロック反転装置と、
シート繰り出し装置の搬出端部に臨む搬入端部が上下動するよう搬出端部を中心に上下方向に揺動自在とされ、シートブロック反転装置の停止時における上方への揺動時にブロック分けされたシートブロックを掬い上げてその上端部が上流側へ倒れるよう伏倒させ、または、シートブロック反転装置の作動時には、そのシートブロック反転装置によりその上端部が下流側に倒れるように伏倒させ、積み重ね状態での上面をそのままの状態、または、積み重ね状態での上面が下向きの状態で下流側に排出させるシートブロック送り出し装置と、
から成る給紙装置。
【発明の詳細な説明】
【技術分野】
【０００１】
この発明は、段ボールシート等の厚みのある板紙を印刷機等のシート加工機に連続して供給する給紙装置に関するものである。
【背景技術】
【０００２】
一般に、コルゲータによって製造される段ボールシートは、表ライナを下にして多数積み重ねられる。その積み重ね段ボールシートは、普通、印刷機あるいは罫入れ溝切り装置等のシート加工機に供給されて適宜の加工が施される。
【０００３】
ここで、シート加工機としての印刷機には、シートの上面側に印刷を施すタイプと、下面側に印刷を施すタイプの２種類が存在し、これらの片面印刷機で板紙(以下、単にシートという)の両面に印刷を施す場合、シートの片面に印刷を施した後、そのシートを積み重ね、その積み重ねシートの上下を反転して印刷機に供給する必要が生じる。
【０００４】
また、上面印刷タイプの片面印刷機によって積み重ね段ボールシートの下面側の表ライナに印刷を施す場合、その段ボールシートを上下反転して印刷機に供給する必要が生じる。
【０００５】
ここで、特許文献１には、多数積み重ねられた積み重ねシートを、その積み重ね状態における上面をそのままの状態で送り出すことができる、あるいは、上下を逆にして送り出すことができるようにした給紙装置を提案している。
【０００６】
上記給紙装置においては、水平の軸心を中心として揺動可能な傾動台が水平状態に保持される状態でその上面に旋回台を設け、その旋回台で繰り出しコンベヤを支持し、その繰り出しコンベヤの両端部に一対のシート受け装置を起伏自在に設け、上記傾動台を略垂直とする状態で、下方に配置される水平状態の一方のシート受け装置上に積み重ねシートを送り込み、その積み重ねシートが一方のシート受け装置で支持されると、繰り出しコンベヤが水平とされるまで傾動台を傾動させるようにしている。
【０００７】
そして、積み重ねシートを、積み重ね状態における上面を上下逆にして送る場合は、シート搬送方向の下流側に配置された他方のシート受け装置を伏倒させ、積み重ねシートを下流側に伏倒させて、繰り出しコンベヤおよび伏倒させた他方のシート受け装置の駆動によりシートを繰り出すようにしている。
【０００８】
また、積み重ねシートを、積み重ね状態における上面をそのままの状態で送る場合は、傾動台の揺動によって繰り出しコンベヤが水平状態とされた後、旋回台を垂直の軸心を中心に１８０°回転させて、一方のシート受け装置を下流側に配置し、その一方のシート受け装置を伏倒させて、繰り出しコンベヤおよび伏倒させた一方のシート受け装置の駆動によりシートを繰り出すようにしている。
【０００９】
【特許文献１】特公平７−７６０６３号公報
【発明の開示】
【発明が解決しようとする課題】
【００１０】
ところで、特許文献１に記載された給紙装置においては、傾動台の水平状態における上面側に旋回台を設け、その旋回台で繰り出しコンベヤおよび一対のシート受け装置を支持する構成であるため、給紙装置が大型化し、しかも、積み重ねシートを、積み重ね状態における上面をそのままの状態で送る場合は、極めて重い旋回台を回転させる必要があるため、旋回台を旋回させる回転駆動装置として大型のものを用いなければならないという不都合がある。
【００１１】
また、シート受け装置に送り込まれる積み重ねシートは、ベニヤ板等の下敷きに支持され、その下敷きと共にシート受け装置に送り込まれるため、積み重ねシートを、積み重ね状態における上面をそのままの状態で送る場合、旋回台の旋回後、その下敷きを取り除いてから一方のシート受け装置を伏倒し、あるいは、シート受け装置の伏倒後に下敷きを取り除く必要が生じ、その取り除きに手間が掛かるという不都合もある。
【００１２】
この発明の課題は、多数積み重ねられた積み重ねシートを、その積み重ね状態における上面をそのままの状態で送り出すことができる、あるいは、上下を逆にして送り出すことができるようにした簡単な構成で、しかも、下敷きの取り出しの容易な給紙装置を提供することである。
【課題を解決するための手段】
【００１３】
上記の課題を解決するために、この発明においては、シートを受け入れる状態の略垂直の位置と上端が下流側に倒れてシートを繰り出す状態の傾斜状の位置との間で揺動される傾動台と、その傾動台がシートを受け入れる状態でシートの搬送面が略垂直の状態となるよう傾動台に支持されたシート繰り出し装置と、前記傾動台が略垂直とされて送り込まれてくる積み重ねシートを受け取り、傾動台のシート繰り出し位置でその積み重ねシートをシート繰り出し装置とで支持して、そのシート繰り出し装置とで積み重ねシートを搬出端に向けて移動させる支持部材と、前記傾動台のシート繰り出し位置で、積み重ねシートを先頭のシートから数枚のシートをシート搬送面上に持ち上げてブロック分けするセパレータ装置と、
ブロック分けされたシートブロックの背面上部をシート繰り出し装置の搬出端側に向けて押圧して、積み重ね状態での上面が下向きとなるようシートブロックを伏倒させるシートブロック反転装置と、シート繰り出し装置の搬出端部に臨む搬入端部が上下動するよう搬出端部を中心に上下方向に揺動自在とされ、シートブロック反転装置の停止時における上方への揺動時にブロック分けされたシートブロックを掬い上げてその上端部が上流側へ倒れるよう伏倒させ、または、シートブロック反転装置の作動時には、そのシートブロック反転装置によりその上端部が下流側に倒れるように伏倒させ、積み重ね状態での上面をそのままの状態、または、積み重ね状態での上面が下向きの状態で下流側に排出させるシートブロック送り出し装置とから成る構成を採用したのである。
【００１４】
上記の構成からなる給紙装置において、給紙に際しては、先ず、傾動台をシートを受け入れる状態の位置とし、支持部材をシート繰り出し装置の下端部において水平の状態とした後、その支持部材上に積み重ねシートを供給する。
【００１５】
積み重ねシートの供給後、傾動台を揺動させてその上端を下流側に傾斜させ、シートを繰り出す状態にして、シート繰り出し装置および支持部材を駆動し、積み重ねシートの先頭のシートがセパレータ装置の上方に配置される位置まで積み重ねシートを斜め上方に移動させる。
【００１６】
積み重ねシートの移動停止後においてセパレータ装置を作動させると、先頭から数枚のシートの束が持ち上げられてブロック分けされる。
【００１７】
ここで、シートの積み重ね状態での上面を上下逆にして送る場合は、シートブロック反転装置を作動し、そのシートブロック反転装置によりブロック分けされたシートブロックの背面上部をシート繰り出し装置の搬出端に向けて下流側へ押圧し、その押圧と略同時にシートブロック送り出し装置を駆動すると共に、そのシートブロック送り出し装置を上方に揺動させる。
【００１８】
シートブロック反転装置によってシートブロックの背面上部を押圧することにより、そのシートブロックはシート繰り出し装置の搬出端側に反転された状態で伏倒して積み重ね状態での上面が下向きとなる。
【００１９】
その伏倒時、シートブロック送り出し装置は上方に向けて揺動しているため、伏倒されるシートブロックはそのシートブロック送り出し装置により支持されると共に下流側に送られて排出端から排出され、シートは積み重ね状態での上面を下向きとして下流側に配置されるシート加工機に送られることになる。
【００２０】
一方、シートを積み重ね状態での上面をそのままの状態で送る場合は、セパレータ装置によって先頭の数枚のシートの束をブロック分けした後、シートブロック反転装置を作動させることなくシートブロック送り出し装置を駆動させつつ上方に揺動させる。
【００２１】
そのシートブロック送り出し装置の上方への揺動により、ブロック分けされたシートブロックはシートブロック送り出し装置により掬い上げられてその上端部が上流側へたおれるように伏倒し、シートは積み重ね時の上面を上向きとする状態でシートブロック送り出し装置の排出端から送り出されることになる。
【発明の効果】
【００２２】
上記のように、この発明においては、セパレータ装置によって積み重ねシートを先頭のシートから数枚のシートを持ち上げてブロック分けした後、シートブロック反転装置を作動させ、同時にシートブロック送り出し装置を上方に向けて揺動させることで、シートは積み重ね状態での上面が下向きとされ、または、ブロック分け後に、シートブロック送り出し装置のみを上方に向けて揺動させることで、シートは積み重ね状態での上面がそのままの状態とされるため、積み重ねシートを、その積み重ね状態における上面をそのままの状態で送り出し、あるいは、上下を逆にして、極めてスムーズな状態で自動的に送り出すことができる。
【００２３】
また、傾動台に支持されたシート繰り出し装置の搬出端部に、セパレータ装置、シートブロック反転装置およびシートブロック送り出し装置を設けることによって、積み重ねシートを、その積み重ね状態における上面をそのままの状態で送り出し、あるいは、上下を逆にして送り出すことができるため、簡単な構成の給紙装置を得ることができる。
【００２４】
さらに、積み重ねシートを上部のシートから順に送り出すため、その積み重ねシートを支持するベニヤ板等の下敷きは、全てのシートの送り出し後、支持部材上に残されることになり、下敷きを容易に取り出すことができる。
【発明を実施するための最良の形態】
【００２５】
以下、この発明の実施形態を図面に基づいて説明する。図１および図２に示すように、多数のシートｓを積み重ねた積み重ねシートＳは下敷きＡに支持され、ローラコンベヤ１によって下流側に搬送される。
【００２６】
ローラコンベヤ１の下流側には、傾動台２が設けられている。傾動台２は、図３に示す機台３のサイドフレーム３ａに支持された水平な軸４（図１に図示）を中心に上下方向に揺動自在に支持され、揺動駆動装置としての揺動用シリンダ５の作動によって、図１の鎖線イで示すように略垂直となっていて積み重ねシートＳを受け入れる状態のシート受け入れ位置と、同図の実線で示すように上端が下流側に倒れて下流側へ向けて上り勾配の傾斜状となっていて積み重ねシートＳの上部から順次繰り出す状態のシート繰り出し位置との間で揺動される。
【００２７】
傾動台２は一対のレール部材６を両側に有し、その一対のレール部材６間にシート繰り出し装置１０が設けられている。シート繰り出し装置１０は２列のベルトコンベヤ１０ａからなる。この各列のベルトコンベヤ１０ａは、傾動台２のシート受け入れ位置においてキャリア側ベルトのシート搬送面が略垂直の状態となるよう傾動台２に支持され、図示省略したモータの駆動によって図１の矢印で示す方向に移動される。ここで、各列のベルトコンベヤ１０ａのキャリア側ベルトは、図１に示すベルト案内板１１に支持されて移動するようになっている。
【００２８】
傾動台２の一対のレール部材６間には支持部材２０が設けられている。支持部材２０は、傾動台２の一対のレール部材６間に渡る長さのバー部材２１に複数の帯状の板体２２を櫛歯状に設けた構成とされ、上記バー部材２１の両端部はレール部材６によってスライド自在に支持されている。
【００２９】
支持部材２０の複数の板体２２は傾動台２のシート受け入れ位置で略水平の状態とされ、シート繰り出し装置１０の搬入端に配置される状態でローラコンベヤ１から送り込まれる積み重ねシートＳを受け取って支持するようになっている。そして、その積み重ねシートＳの受け取り後において、傾動台２が揺動されてシート繰り出し位置に保持されると、積み重ねシートＳをこの傾動台２とシート繰り出し装置１０とで支持するようになっている。
【００３０】
また、支持部材２０は、シート繰り出し装置１０におけるベルトコンベヤ１０ａのキャリア側ベルトの移動と共に移動して、キャリア側ベルトと同方向に同じ量だけ一定のストロークで間歇的に移動するようになっている。
【００３１】
図３および図４に示すように、傾動台２のシート繰り出し位置において、シート繰り出し装置１０の搬出端部には、そのシート繰り出し装置１０で支持された積み重ねシートＳの上層部の先頭のシートｓから数枚のシートｓをシート搬送面上に持ち上げてブロック分けするセパレータ装置３０が設けられている。
【００３２】
セパレータ装置３０は、機台３の一対のサイドフレーム３ａ間に渡る支持バー３１によって支持された昇降用シリンダ３２と、そのシリンダ３２によって略垂直方向に昇降動されるブラケット３４と、そのブラケット３４の両側で対向する側板３４ａ間に渡されたピン３５を中心として揺動自在に支持されたシート支持板３３と、上側のブロック支持面３３ａが、下流側に向かって上り勾配となっている際の２列のベルトコンベヤ１０ａのキャリア側ベルトと同方向に同じ勾配をもって傾斜する傾斜状の位置と略水平となる水平位置との間でシート支持板３３を揺動させる揺動用シリンダ３６とからなり、上記昇降用シリンダ３２により傾斜状態のシート支持板３３をシート繰り出し装置１０のシート搬送面の下方に位置する待機位置から略垂直方向に上昇させてシート繰り出し装置１０で支持された積み重ねシートＳの先頭から複数枚のシートｓを持ち上げるようになっている。
【００３３】
ここで、シート支持板３３のブロック支持面３３ａの上流側端には、ブロック分けされたシートブロックＢのずれ落ちを防止する防止爪３３ｂが設けられている。また、シート支持板３３の略垂直方向への上昇によってブロック分けされたシートブロックＢの下端部はシート繰り出し装置１０の搬送面に残る次のシートｓの下端部から下流側へ離れて、これらの下端部間に間隙が形成されるようになっている。
【００３４】
上記セパレータ装置３０によってブロック分けされたシートブロックＢは、必要に応じて図１および図２に示すシートブロック反転装置４０によって積み重ね状態での上面が下向きとなるように倒される。
【００３５】
図７乃至図９は、シートブロック反転装置４０の詳細を示し、以下に示すような構成になっている。すなわち、このシートブロック反転装置４０は、機台３の一方のサイドフレーム３ａの外側面から水平方向に張り出すステー４１に軸受４２を固定し、その軸受４２の二股片４２ａによって両端部が回転自在に支持された支点軸４３を中心にして、シートブロックＢの背面上部に対して係合可能な蹴り出しアーム４４を揺動させ、その蹴り出しアーム４４によってシートブロックＢの上流側である背面の上部をシート繰り出し装置１０の搬出端に向けて押すような構成になっている。
【００３６】
ここで、支点軸４３はステー４１に支持されたモータ４５によって回転されるようになっており、その支点軸４３にガイド部材４６に設けられた支持片４７を固定している。
【００３７】
また、ガイド部材４６によって細長いねじ軸ホルダ４８をその長さ方向にスライド自在に支持し、そのねじ軸ホルダ４８の両端部に対向するように一対設けられた支持片４８ａによってねじ軸４９の両端部を回転自在に支持し、そのねじ軸４９にねじ係合するナット５０をガイド部材４６に固定し、上記ねじ軸４９をその下端部に接続したモータ５１の駆動により回転させて、ねじ軸ホルダ４８を長さ方向に位置調整できるようになっている。
【００３８】
さらに、ねじ軸ホルダ４８の上端部にシート繰り出し装置１０上に張り出す第１アーム５２を設け、その第１アーム５２の先端部に固定した第２アーム５３によって前記蹴り出しアーム４４の後端部をピン５４で揺動自在に支持し、この蹴り出しアーム４４の後端に接続したシリンダ５５を第２アーム５３で支持して、そのシリンダ５５の作動でピン５４を中心に蹴り出しアーム４４の先端部を上下する方向に揺動させるようにしている。
【００３９】
図３および図５に示すように、シート繰り出し装置１０の搬出端部には、シートブロック送り出し装置６０が設けられている。
【００４０】
シートブロック送り出し装置６０は、２列のベルトコンベヤ６１からなる。各ベルトコンベヤ６１は、一対のコンベヤフレーム６２によってヘッドプーリ６３とテールプーリ６４を回転自在に支持し、その両プーリ６３、６４間にベルト６５を掛け渡し、そのベルト６５のキャリア側ベルトをベルト支持板６６で支持した構成とされている。
【００４１】
各ベルトコンベヤ６１は、傾動台２におけるレール部材６の先端部間に渡された軸６７により搬出端部が支持されて、シート繰り出し装置１０の２列のベルトコンベヤ１０ａ間に位置する搬入端部が上下動する方向に揺動自在とされている。
【００４２】
また、２列のベルトコンベヤ６１は上記コンベヤフレーム６２に接続されたシリンダ６８の作動によって軸６７を中心に揺動され、上方へはシート支持板３３を通過してその搬送面が略水平とされる位置まで揺動されて、セパレータ装置３０のシート支持板３３で支持されるシートブロックＢを掬い上げて受け取ることができるようになっている。
【００４３】
図１および図２に示すように、シートを繰り出す状態とされた傾動台２の下流側には、シートブロック送り出し装置６０から送り出されてくるシートブロックＢを受け取って下流側に配置された図示省略のシート加工機に送り込むフィードコンベヤ７０が設けられている。そのフィードコンベヤ７０の搬送面上には、その搬送面との間に数枚のシートｓが通過可能なゲート７１を形成するゲートプレート７２が設けられ、そのゲートプレート７２によって、シートブロックＢはラップ状態に送り姿勢が変更されるようになっている。
【００４４】
また、フィードコンベヤ７０の搬送面上には、シートブロック送り出し装置６０からフィードコンベヤ７０へのシートブロックＢの受け渡しを行うシートブロック受け渡し装置９０が設けられている。
【００４５】
図１０乃至図１２は上記シートブロック受け渡し装置９０の詳細を示し、以下に示すような構成になっている。すなわち、シートブロック受け渡し装置９０は、固定の支持フレーム９１によって昇降自在に支持された昇降台９２と、その昇降台９２を昇降動させる昇降駆動装置９３と、上記昇降台９２によってシートブロック送り出し装置６０に向けて水平方向に移動自在に支持された受け渡し部材９４と、その受け渡し部材９４を往復動させる往復動装置９５とからなる。
【００４６】
支持フレーム９１は両側前後に４本のガイド軸９６を有し、そのガイド軸９６に沿って昇降台９２を昇降自在に支持している。昇降台９２は一対の側板９２ａを両側に有し、その側板９２ａの対向内面に受け渡し部材９４を移動自在に支持する複数のガイドローラ９７を回転自在に支持している。
【００４７】
昇降駆動装置９３は、一対のスプロケット９３ａ、９３ｂを上下に設け、そのスプロケット９３ａ、９３ｂ間に掛け渡したチェーン９３ｃの一部を昇降台９２に連結し、そのチェーン９３ｃの移動によって昇降台９２を一定ストローク昇降動させるようにしている。
【００４８】
受け渡し部材９４は、複数のガイドローラ９７によって水平方向にスライド自在に支持される一対のガイドバー９４ａを両側に有し、その一対のガイドバー９４ａの上流側の先端部間に複数の受けローラ９４ｂを回転自在に支持し、かつ、受けローラ９４ｂの下流側に、その受けローラ９４ｂの搬送面上に垂直状に立ち上がるガイド板９４ｃを設けている。
【００４９】
ここで、受け渡し部材９４は、最先端の受けローラ９４ｂがシートブロック送り出し装置６０の排出端より上流側に配置される位置を前進停止位置とし、また、上記受けローラ９４ｂがゲートプレート７２のシートブロック案内面から下流側に没入する位置を後退停止位置としている。
【００５０】
また、昇降台９２の昇降動によって昇降される受け渡し部材９４は、受けローラ９４ｂの搬送面がシートブロック送り出し装置６０の略水平とされる状態のベルトコンベヤ６１の搬送面より少し下方に配置される位置を下降停止位置とし、また、略水平とされる状態のベルトコンベヤ６１の搬送面上で幅寸法の大きなシートｓからなるシートブロックＢの上端部がシートブロック反転装置４０によって下流側へ倒される際に、そのシートブロックＢを最先端の受けローラ９４ｂが受ける位置を上昇停止位置としている。
【００５１】
往復動装置９５は、受け渡し部材９４の一対のガイドバー９４ａのそれぞれの内側面にラック９５ａを固定し、その各ラック９５ａは昇降台９２で回転自在に支持されたピニオン９５ｂと噛合し、そのピニオン９５ｂを昇降台９２で支持されたモータ９５ｃで回転させるようになっている。
【００５２】
実施の形態で示す給紙装置は上記の構造からなり、シート加工機に対する給紙に際しては、先ず、傾動台２を積み重ねシートＳを受け入れる状態とし、支持部材２０をシート繰り出し装置１０の下端部において水平の状態とした後、その支持部材２０上に積み重ねシートＳを供給する。
【００５３】
積み重ねシートＳの供給後、揺動用シリンダ５を作動して傾動台２を揺動し、上端が下流側に傾斜するシート繰り出し位置に姿勢を変更する。その傾動台２の姿勢変更によって、積み重ねシートＳは上端が下流側に倒れる状態となり、その積み重ねシートＳは支持部材２０の板体２２とシート繰り出し装置１０の２列のベルトコンベヤ１０ａによって支持される。
【００５４】
上記のように、傾動台２をシート繰り出し状態に姿勢を変更した後、シート繰り出し装置１０および支持部材２０を駆動し、積み重ねシートＳの先頭のシートｓがセパレータ装置３０のシート支持板３３の上方に配置される位置まで積み重ねシートＳを斜め上方に移動させ、その移動後、シート繰り出し装置１０および支持部材２０を停止させる。
【００５５】
積み重ねシートＳの移動停止後において、セパレータ装置３０のシリンダ３２の作動によって下流側に向けて上り勾配に傾斜した状態のシート支持板３３を上方に移動させると、先頭から数枚のシートｓがシート支持板３３で持ち上げられてブロック状に分けられる。
【００５６】
このとき、傾斜状態のシート支持板３３は、傾斜状態に保持された積み重ねシートＳに対して略垂直方向に移動されるため、ブロック分けされたシートブロックＢの下端部は次のシートｓの下端部から下流側に離れる方向に持ち上げられると共に、シートブロックＢの背面側上部が次のシートｓの前面側上部を擦るように接触しながら持ち上げられることになる。
【００５７】
このため、次のシートｓはブロック分けされて持ち上げられるシートブロックＢとの接触により引き摺り上げられるようなことはなく、所定枚数のシートｓのみが確実に持ち上げられて、図５に示すように、ブロック分けされることになる。
【００５８】
ここで、シートｓを積み重ね状態で上方向に向いている上面側を上下逆にして下方向へ向く状態で送る場合は、シートブロック反転装置４０を作動させる。そのシートブロック反転装置４０を作動させる場合、図９に示すモータ４５の駆動によるガイド部材４６の上流へ向けての下方向への揺動と、図７に示すシリンダ５５の作動による蹴り出しアーム４４の上流側へ向けての下方向への揺動とによって蹴り出しアーム４４の先端がシートブロックＢの上流側に位置する背面上部と対向可能な位置に配置されるよう蹴り出しアーム４４の位置を予め調整しておく。
【００５９】
蹴り出しアーム４４の位置調整に際しては、図７に示すモータ５１の駆動によりねじ軸４９を回転させる。そのねじ軸４９の回転により、ねじ軸ホルダ４８が長さ方向に移動し、その移動によって蹴り出しアーム４４の高さ位置が調整されることになる。
【００６０】
上記のような蹴り出しアーム４４の位置調整後、図７に示すシリンダ５５の作動により、蹴り出しアーム４４の先端が下流側に向けて上方に移動する方向にその蹴り出しアーム４４を揺動させると共に、図９に示すモータ４５の駆動によりガイド部材４６を図７の矢印で示すように上流側へ向けて下方に揺動させ、蹴り出しアーム４４の先端がシートブロックＢの上側を通過した後に、モータ４５を停止し、シリンダ５５の作動により蹴り出しアーム４４を上流側に向けて下向きに揺動させると、図１３に示すように、蹴り出しアーム４４の先端がブロック分けされたシートブロックＢの背面上部に対向する。
【００６１】
図１３に示す状態から、図９に示すモータ４５の駆動によりガイド部材４６を図７に示す矢印と反対の方向である下流側へ向けて上方への方向に揺動させると、蹴り出しアーム４４の先端がシートブロックＢをシート繰り出し装置１０の搬出端に向けて押圧する。その押圧と同時に、図１３に示す揺動用シリンダ３６の作動によりシート支持板３３を略水平となる方向に揺動させる。シート支持板３３の揺動によりシートブロックＢは下流側の端部が持ち上げられる。また、蹴り出しアーム４４の押圧により、そのシートブロックＢは略水平状態のシート支持板３３で支持される下面を中心に揺動して、図１４に示すように、その上端部側が下流側へ向けて倒れてシート繰り出し装置１０の搬出端側に伏倒し始める。
【００６２】
シートブロック反転装置４０によってシートブロックＢが伏倒され始めるのと略同時に図１４に示すシリンダ６８を作動して、軸６７を中心にシートブロック送り出し装置６０の２列のベルトコンベヤ６１を上方に揺動させる。このベルトコンベヤ６１の上方への揺動により、シート支持板３３上で伏倒するシートブロックＢは、図１５に示すように、セパレータ装置３０のシート支持板３３からベルトコンベヤ６１で掬い上げられる。
【００６３】
図１６に示すように、各列のベルトコンベヤ６１のシート搬送面が略水平となる位置までベルトコンベヤ６１が揺動されると、シートブロックＢはそのベルトコンベヤ６１のシート搬送面上に伏倒して、積み重ね状態の際に上方向へ向いていた上面が下方向へ向いた状態でシート搬送面に支持され、そのベルトコンベヤ６１により下流側に搬送される。
【００６４】
ここで、シートブロック反転装置４０によって反転されるシートブロックＢのシートｓが上記のようにベルトコンベヤ６１によって支持される程度の大きさである場合は、シートブロック受け渡し装置９０の昇降台９２を下降停止位置に保持しておくとともに、受け渡し部材９４を図１３の鎖線で示すように、最先端の受けローラ９４ｂがシートブロック送り出し装置６０の排出端から上流側に臨む前進停止位置に保持しておく。
【００６５】
このため、シートブロック送り出し装置６０のベルトコンベヤ６１によって反転されたシートブロックＢが送り出されると、そのシートブロックＢの先端部は受け渡し部材９４の複数の受けローラ９４ｂで支持される。
【００６６】
図１６に示すように、シートブロックＢの先端がガイド板９４ｃの当接位置まで送り出される状態で受け渡し部材９４を図１０に示すピニオン９５ｂの回転によってシートブロック送り出し装置６０の搬送速度と同速度で後退させると、シートブロックＢはシートブロック送り出し装置６０と受け渡し部材９４の双方によってフィードコンベヤ７０の搬入端部上に搬送される。
【００６７】
受け渡し部材９４がゲートプレート７２のシートブロック案内面より下流側に没入する位置まで後退すると、シートブロックＢは先端面がゲートプレート７２に案内されつつ落下して、そのフィードコンベヤ７０の搬入端部上に先に送り込まれたシートブロックＢ上に供給される。フィードコンベヤ７０上に供給されたシートブロックＢは下部のシートｓから順にシート加工機に送られる。
【００６８】
ここで、シートブロック送り出し装置６０の各列のベルトコンベヤ６１によってシートブロックＢが搬送される時、図１６に示すシリンダ３２の作動によりシート支持板３３が下降されて待機位置に戻される。また、ベルトコンベヤ６１からシートブロックＢが送り出されると、同図に示すシリンダ６８の作動により、ベルトコンベヤ６１は軸６７を中心にその上流側が下方向に向けて揺動されて待機位置に戻される。
【００６９】
また、シートブロックＢがフィードコンベヤ７０の搬入端部上に供給されると、受け渡し部材９４は上流側へ向けて水平方向に前進動されて次のシートブロックＢを受取る状態に停止保持される。
【００７０】
その後、シート繰り出し装置１０および支持部材２０の移動によって積み重ねシートＳは先頭のシートｓがシート支持板３３上に臨む位置まで搬送される。以後、上記動作の繰り返しにより、シートブロックＢは次々とフィードコンベヤ７０上に送り込まれ、最後のシートｓが送られると、支持部材２０の板体２２上に下敷きＡが残される。このため、下敷きＡを簡単に取り除くことができる。
【００７１】
ここで、図１３に示すように、ベルトコンベヤ６１がシート支持板３３からシートブロックＢを受け取ってシート搬送面が略水平となる位置まで揺動する際、シートブロックＢはベルトコンベヤ６１から上流側にずり落ちる可能性がある。
【００７２】
そこで、実施の形態では、図６に示すように、ベルトコンベヤ６１のコンベヤフレーム６２の外側面にシリンダ８０の作動によってピン８１を中心に上下方向に揺動されるずり落ち防止アーム８２を設け、上方に向けて揺動するベルトコンベヤ６１がシート支持板３３上のシートブロックＢを掬い上げる直前に、そのずり落ち防止アーム８２の上流側端部をピン８１を中心に上方に揺動させ、その上流側端部をシートブロックＢの背面下部に位置させて、シートブロックＢのずり落ちを防止するようにしている。
【００７３】
なお、シートブロック反転装置４０によって反転されるシートブロックＢのシートｓがベルトコンベヤ６１によって片面の全体を支持することのできない程度の大きさである場合は、シートブロック受け渡し装置９０の昇降台９２を上昇停止位置に保持しておくとともに、図１７に示すように、受け渡し部材９４の最先端の受けローラ９４ｂをシートブロック送り出し装置６０の排出端から上流側に臨む前進停止位置に保持しておき、蹴り出しアーム４４によって反転されるシートブロックＢの蹴り出しアーム４４と当接する側とは反対側（下流側）のシートｓの上端部を受け渡し部材９４の最先端の受けローラ９４ｂで支持するようにする。
【００７４】
そして、受けローラ９４ｂでシートブロックＢの上端部が支持されると、受け渡し部材９４をシートブロック送り出し装置６０の搬送速度と略同速度で下流側へ後退動させて、図１８に示すように、シートブロックＢをその上端部が下流側へ徐々に倒れるように伏倒させてフィードコンベヤ７０上に先に送り込まれているシートブロック上に供給する。
【００７５】
一方、シートｓを積み重ね状態での上面をそのままの状態で送る場合は、図１３に示すように、セパレータ装置３０のシート支持板３３の上方への移動によって先頭の数枚のシートｓを束状にブロック分けした後、シートブロック送り出し装置６０の上流側をその２列のベルトコンベヤ６１を駆動させつつ下流側の軸６７を中心に上方に揺動させる。
【００７６】
ベルトコンベヤ６１の上方への揺動により、ブロック分けされたシート支持板３３上のシートブロックＢは、図１９および図２０に示すように、複列のベルトコンベヤ６１により掬い上げられてその上端部が上流側へ倒れるように伏倒し、シートｓは積み重ね時の上面を上向きとする状態で、図２１に示すように、ベルトコンベヤ６１からフィードコンベヤ７０に送り出される。
【００７７】
このとき、シートブロック受け渡し装置９０の昇降台９２を下降停止位置に保持しておくとともに、受け渡し部材９４を図１９の鎖線で示すように、最先端の受けローラ９４ｂがシートブロック送り出し装置６０の排出端から上流側に臨む前進停止位置に保持しておく。
【００７８】
このため、シートブロック送り出し装置６０のベルトコンベヤ６１によってシートブロックＢが送り出されると、そのシートブロックＢの先端部は受け渡し部材９４の複数の受けローラ９４ｂで支持される。
【００７９】
図２１に示すように、シートブロックＢの先端がガイド板９４ｃの当接位置まで送り出される状態で受け渡し部材９４を図１０に示すピニオン９５ｂの回転によってシートブロック送り出し装置６０と同速度で下流側へ後退させると、シートブロックＢはシートブロック送り出し装置６０と受け渡し部材９４の双方によってフィードコンベヤ７０の搬入端部上に搬送される。
【００８０】
受け渡し部材９４がゲートプレート７２のシートブロック案内面から下流側に没入する位置まで後退すると、シートブロックＢは先端面がゲートプレート７２に案内されつつ落下して、そのフィードコンベヤ７０の搬入端部上に先に送り込まれているシートブロックＢ上に供給される。フィードコンベヤ７０上に供給されたシートブロックＢは下部のシートｓから順に下流のシート加工機に送られる。
【００８１】
ここで、シートブロック送り出し装置６０のベルトコンベヤ６１によってシートブロックＢが搬送される時、図１５に示すシリンダ３２の作動によりシート支持板３３が下降されて、図２０に示すように待機位置に戻される。また、ベルトコンベヤ６１からシートブロックＢが送り出されると、同図に示すシリンダ６８の作動により、ベルトコンベヤ６１の上流側は下流側の軸６７を中心に下方向に向けて揺動されて待機位置に戻される。
【００８２】
また、シートブロックＢがフィードコンベヤ７０の搬入端部上に供給されると、受け渡し部材９４は上流側へ前進動されて次のシートブロックＢを受取る状態に停止保持される。
【００８３】
その後、シート繰り出し装置１０および支持部材２０の移動によって積み重ねシートＳは先頭のシートｓがシート支持板３３上に臨む位置まで搬送される。以後、上記動作の繰り返しにより、シートブロックＢは次々とフィードコンベヤ７０上に送り込まれ、最後のシートｓが送られると、支持部材２０の板体２２上に下敷きＡが残される。このため、下敷きＡを簡単に取り除くことができる。
【００８４】
上記のように、セパレータ装置３０によって積み重ねシートＳを先頭のシートの束を持ち上げてブロック分けした後、シートブロック反転装置４０を作動させ、同時にシートブロック送り出し装置６０を上方に向けて揺動させることで、シートは積み重ね状態での上面が下向きとされ、または、ブロック分け後に、シートブロック反転装置４０を停止させた状態で、シートブロック送り出し装置６０のみを上方に向けて揺動させることで、シートｓは積み重ね状態での上面がそのままの状態とされるため、積み重ねシートＳを、その積み重ね状態における上面をそのままの状態で送り出し、あるいは、上下を逆にして送り出すことができる。
【００８５】
また、傾動台２に支持されたシート繰り出し装置１０の搬出端部に、セパレータ装置３０、シートブロック反転装置４０およびシートブロック送り出し装置６０を設けることによって、積み重ねシートＳを、その積み重ね状態における上面をそのままの状態で送り出し、あるいは、上下を逆にして送り出すことができるため、簡単な構成の給紙装置を得ることができる。
【００８６】
実施の形態に示すように、フィードコンベヤ７０上に、シートブロック受け渡し装置９０を設けることによって、フィードコンベヤ７０の搬入端部上にシートブロックＢをシートｓに乱れを生じさせることなく供給することができるが、シートブロック受け渡し装置９０を省略した場合でも、フィードコンベヤ７０の搬入端部上にシートブロックＢを確実に供給することができため、上記シートブロック受け渡し装置９０を省略することもできる。
【図面の簡単な説明】
【００８７】
【図１】この発明に係る給紙装置を概略的に示す正面図
【図２】図１の平面図
【図３】図２のシートブロック送り出し装置部を拡大して示す平面図
【図４】図３のIV−IV線に沿った断面図
【図５】図３のＶ−Ｖ線に沿った断面図
【図６】図３のVI−VI線に沿った断面図
【図７】シートブロック反転装置を示す正面図
【図８】図７の左側面図
【図９】図８のIX−IX線に沿った断面図
【図１０】シートブロック受け渡し装置の縦断正面図
【図１１】図１０の平面図
【図１２】図１０のXII−XII線に沿った断面図
【図１３】セパレータ装置によって積み重ねシートをブロック分けした状態の断面図
【図１４】ブロック分けされたシートブロックの伏倒途中の状態を示す断面図
【図１５】伏倒途中のシートブロックをシートブロック送り出し装置によって支持した状態の断面図
【図１６】シートブロックの完全な伏倒状態を示す断面図
【図１７】幅寸法の大きなシートからなるシートブロックの伏倒途中の状態を示す断面図
【図１８】図１７に示すシートブロックがフィードコンベヤに送り込まれた状態の断面図
【図１９】ブロック分けされたシートブロックをシートブロック送り出し装置によって支持した状態の断面図
【図２０】シートブロック送り出し装置によって受け取られたシートブロックが上流側に倒れていく状態を示す断面図
【図２１】シートブロックの送り出し状態を示す断面図
【符号の説明】
【００８８】
Ｓ    積み重ねシート
２    傾動台
１０  シート繰り出し装置
２０  支持部材
３０  セパレータ装置
４０  シートブロック反転装置
６０  シートブロック送り出し装置
【図１】
2008150142.tif 000003
【図２】
2008150142.tif 000004
【図３】
2008150142.tif 000005
【図４】
2008150142.tif 000006
【図５】
2008150142.tif 000007
【図６】
2008150142.tif 000008
【図７】
2008150142.tif 000009
【図８】
2008150142.tif 000010
【図９】
2008150142.tif 000011
【図１０】
2008150142.tif 000012
【図１１】
2008150142.tif 000013
【図１２】
2008150142.tif 000014
【図１３】
2008150142.tif 000015
【図１４】
2008150142.tif 000016
【図１５】
2008150142.tif 000017
【図１６】
2008150142.tif 000018
【図１７】
2008150142.tif 000019
【図１８】
2008150142.tif 000020
【図１９】
2008150142.tif 000021
【図２０】
2008150142.tif 000022
【図２１】
2008150142.tif 000023